(57)【要約】【課題】製品の誤差等により電子機器の大きさにバラツキを生じていても容易に対応でき、確実に取付けることができる電子機器の取付構造を提供する。【解決手段】筐体５３の四隅に近接するベース５１上にベースプレート１０を取付ける。ブロック２０は切欠いた側面を筐体５３に当接させた状態でベースプレート１０上に配置し、下面に設けたラッチをベースプレート１０のラッチ１２に係合させて筐体５３の水平方向を仮固定する。次にカバー３０をブロック２０に被せるように設置し、先端下側を筐体５３の角部上面に当接させると共に、側板内側に設けたラッチをブロック２０のラッチ２２ａ、２２ｂに係合させ、筐体５３の上下方向を仮固定する。固定用ネジ４１ａ、４１ｂをカバー３０の長穴３４ａ、３４ｂに挿入し、ブロック２０の長穴を挿通させてベースプレート１０のネジ挿通孔から下方に突出させ、ベース５１のネジ穴５２ａ、５２ｂに螺着する。【選択図】図３
2011014855.tif 000002
【特許請求の範囲】
【請求項１】
上面にラッチが形成されると共に２個のネジ挿通孔が設けられたベースプレートと、前記ベースプレート上に配置され、少なくとも底面に前記ベースプレートのラッチに係合するラッチが形成されると共に前記ベースプレートのネジ挿通孔に対応する位置に長穴が設けられたブロックと、前記ブロック上に配置され、該ブロックの長穴に対応する位置に長穴を有し、ベース上に配置される電子機器筐体の角部上面に前端部下面が当接するカバーとからなる筐体固定金具を備え、
前記電子機器筐体の少なくとも２つの角部に前記筐体固定金具を配設し、該筐体固定金具のカバー及びブロックの長穴及びベースプレートのネジ挿通孔に固定ネジを挿入し、ネジ止めにより前記電子機器筐体をベース上に固定することを特徴とする電子機器の取付構造。
【請求項２】
請求項１に記載の電子機器の取付構造において、
更に前記ブロックに蝶番を備え、該蝶番により前記電子機器筐体の角部を押さえるように構成したことを特徴とする電子機器の取付構造。
【発明の詳細な説明】
【技術分野】
【０００１】
本発明は、電子機器をシステムの構成品として組込む際の電子機器の取付構造に関する。
【背景技術】
【０００２】
従来、例えばパーソナルコンピュータ等において、ハードディスクやＣＤＲＯＭドライブ等の電子機器を本体に取付ける場合、断面Ｌ字状に形成された取付補助具を電子機器に取付け、上記取付補助具を直接取付け場所にネジ止めにより固定している（例えば、特許文献１参照。）。
【０００３】
また、電子機器が例えばハードディスクなど駆動源を有している場合には、電子機器に固定した取付補助具に緩衝部材を取付け、該緩衝部材を介して電子機器を本体側に取付けることにより騒音の発生を抑制している。
【先行技術文献】
【特許文献】
【０００４】
【特許文献１】特開２００４−３１５０１号公報
【発明の概要】
【発明が解決しようとする課題】
【０００５】
上記のように断面Ｌ字状に形成された取付補助具を使用し、電子機器を筐体にネジ止めして固定する従来の電子機器の取付構造では、取付補助具に設けられたネジ穴の位置が固定されているので、製品の誤差等により電子機器の大きさにバラツキがあると簡単に取付けることができなくなる。また、類似の製品を使用する場合等、電子機器の大きさが少しでも異なると、その大きさに合わせて専用の取付補助具を用意しなければならず、製品毎に個々の形状に適した取付補助具が必要になるという問題があった。
【０００６】
本発明は上記の課題を解決するためになされたもので、製品の誤差等により電子機器の大きさにバラツキがあったり、また、類似の製品を使用する場合など電子機器の大きさが若干異なる場合であっても容易に対応でき、電子機器の取付けを確実に行うことができる電子機器の取付構造を提供することを目的とする。
【課題を解決するための手段】
【０００７】
第１の発明に係る電子機器の取付構造は、上面にラッチが形成されると共に２個のネジ挿通孔が設けられたベースプレートと、前記ベースプレート上に配置され、少なくとも底面に前記ベースプレートのラッチに係合するラッチが形成されると共に前記ベースプレートのネジ挿通孔に対応する位置に長穴が設けられたブロックと、前記ブロック上に配置され、該ブロックの長穴に対応する位置に長穴を有し、ベース上に配置される電子機器筐体の角部上面に前端部下面が当接するカバーとからなる筐体固定金具を備え、前記電子機器筐体の少なくとも２つの角部に前記筐体固定金具を配設し、該筐体固定金具のカバー及びブロックの長穴及びベースプレートのネジ挿通孔に固定ネジを挿入し、ネジ止めにより前記電子機器筐体をベース上に固定することを特徴とする。
【０００８】
第２の発明は、前記第１の発明に係る電子機器の取付構造において、更に前記ブロックに蝶番を備え、該蝶番により前記電子機器筐体の角部を押さえるように構成したことを特徴とする。
【発明の効果】
【０００９】
本発明によれば、縦、横、高さの３要素の全ての寸法を変更できる構造を有し、かつラッチ機構により位置決めの調節を簡単に行うことができるので、製品の誤差等により電子機器の大きさにバラツキがあったり、また、類似の製品を使用する場合など電子機器の大きさが若干異なる場合であっても容易に対応でき、電子機器の取付けを確実に行うことができる。また、ブロックに蝶番を備えることにより、蝶番とラッチ機構にて電子機器筐体を強固に且つ簡単に固定することができる。
【図面の簡単な説明】
【００１０】
【図１】本発明の実施例１に係る筐体固定金具の構成を示す斜視図である。
【図２】同実施例１に係る筐体固定金具の要部を分解して示す斜視図である。
【図３】同実施例１に係る筐体固定金具を用いて電子機器筐体をベースに取付けた状態を示し、（ａ）は平面図、（ｂ）は側面図である。
【図４】本発明の実施例２に係る筐体固定金具の構成を示す分解斜視図である。
【図５】同実施例２における蝶番内蔵ブロックの平面図である。
【図６】同実施例２に係る筐体固定金具を用いて電子機器筐体をベースに取付ける過程を示す平面図である。
【図７】同実施例２に係る筐体固定金具を用いて電子機器筐体を固定した状態を示す斜視図である。
【発明を実施するための形態】
【００１１】
以下、本発明の実施の形態について図面を参照して詳細に説明する。
【実施例１】
【００１２】
図１は本発明の実施例１に係る筐体固定金具の構成を示す斜視図、図２は同実施例１における筐体固定金具のベースプレート１０、ブロック２０、カバー３０部分を分解して示す斜視図である。
本発明の実施例１に係る筐体固定金具は、図１及び図２に示すように金具を固定するベースプレート１０、筐体の縦横方向を固定するブロック２０、筐体の高さ方向を固定するカバー３０、及び固定用ネジ４１ａ、４１ｂにより構成される。
【００１３】
ベースプレート１０は、例えば方形状の金属板を用いて構成したもので、その一角に切欠き１１を設け、略Ｌ字状となるように形成している。上記切欠き１１は、固定する筐体の角部（四隅）を位置させるためのもので、略９０°の角度で設けられる。上記ベースプレート１０の上面には、細い線状の凹凸からなるラッチ１２が一定の間隔で設けられる。この場合、ラッチ１２は、ベースプレート１０の切欠き１１と、その対向する角部を結ぶ線に対して直交する方向に設けられる。また、ベースプレート１０には、ベースプレート固定用サラ穴１３ａ、１３ｂが設けられると共に、切欠き１１の側方に位置するようにネジ挿通孔１４ａ、１４ｂが設けられる。
【００１４】
上記ベースプレート１０上にブロック２０が配置される。ブロック２０は、略直方体状の金属体を用いて構成され、その一角に切欠き２１が設けられる。上記ブロック２０の高さは、固定する電子機器筐体の高さより低く形成される。また、ブロック２０は、平面形状がベースプレート１０と略同じに形成され、ベースプレート１０のネジ挿通孔１４ａ、１４ｂに対応する位置に長穴２４ａ、２４ｂが上下方向に貫通して設けられる。
【００１５】
また、ブロック２０には、切欠き２１と反対側の２つの側面にラッチ２２ａ、２２ｂが水平方向に設けられると共に、底面にラッチ２３が設けられる。この底面のラッチ２３は、ベースプレート１０のラッチ１２と同じ方向に設けられる。すなわち、ベースプレート１０上にブロック２０を載置した際に、ベースプレート１０上のラッチ１２とブロック２０の下面に設けたラッチ２３が係合してブロック２０の位置が保持されるようになっている。
【００１６】
上記ブロック２０の上側には、金属板により形成したカバー３０が配置される。このカバー３０は、天板３１と２つの側板３２ａ、３２ｂにより構成される。上記側板３２ａ、３２ｂは、ブロック２０のラッチ２２ａ、２２ｂが形成された側面に対応する位置に設けられ、その内側面にブロック２０のラッチ２２ａ、２２ｂに対応するようにラッチ３３が水平方向に設けられる。また、天板３１は、少なくともブロック２０の上面及び切欠き２１の上部を覆う大きさに形成され、ブロック２０の長穴２４ａ、２４ｂに対応する位置に長穴３４ａ、３４ｂが設けられる。
【００１７】
そして、図１に示すようにカバー３０に設けた長穴３４ａ、３４ｂに上部から固定用ネジ４１ａ、４１ｂをワッシャ４２ａ、４２ｂを介在させて挿入し、ブロック２０の長穴２４ａ、２４ｂを挿通させてベースプレート１０のネジ挿通孔１４ａ、１４ｂから下方に突出させ、詳細を後述するようにベースに設けたネジ穴に螺着する。
【００１８】
次に、上記のように構成された筐体固定金具を使用して筐体を固定する場合の手順を説明する。図３は上記筐体固定金具によりベース５１上に電子機器筐体５３を取付けた状態を示し、（ａ）は平面図、（ｂ）は側面図である。
（１）ベース５１上において、固定する電子機器筐体５３の四隅に近接する位置にベースプレート１０を取付ける。このベースプレート１０の取付けは、ベースプレート固定用サラ穴１３ａ、１３ｂを利用し、ネジ止めにより固定する。
【００１９】
（２）ブロック２０にて電子機器筐体５３の水平方向２辺（横方向、奥行き方向）を仮固定する。この場合、ブロック２０は、切欠き２１の面を電子機器筐体５３の側面に当接させた状態でベースプレート１０上に配置し、下面に設けたラッチ２３をベースプレート１０のラッチ１２に係合させる。
【００２０】
（３）次にカバー３０をブロック２０に被せるように設置し、天板３１の先端下側を電子機器筐体５３の角部上面に当接させると共に、側板３２ａ、３２ｂの内側に設けたラッチ３３をブロック２０のラッチ２２ａ、２２ｂに係合させ、電子機器筐体５３の上下方向を仮固定する。上記ブロック２０及びカバー３０による電子機器筐体５３への仮固定を筐体四隅の４個所にて行う。
【００２１】
（４）その後、固定用ネジ４１ａ、４１ｂをカバー３０の長穴３４ａ、３４ｂにワッシャ４２ａ、４２ｂを介在させて挿入し、ブロック２０の長穴２４ａ、２４ｂを挿通させてベースプレート１０のネジ挿通孔１４ａ、１４ｂから下方に突出させ、ベース５１に予め設けたネジ穴５２ａ、５２ｂに螺着し、締め付けて固定する。
【００２２】
上記カバー３０と電子機器筐体５３との間の摩擦力と、カバー３０とブロック２０間、及びブロック２０とベースプレート１０間のラッチ機構により、電子機器筐体５３を強固にかつ簡単に固定することができる。
上記の説明ではベース５１への電子機器筐体５３の取付けを４段階に分けて行ったが、実際は縦、横、高さの調整を全て同時に行うことができ、固定用ネジ４１ａ、４１ｂを締め付けるのみで、電子機器筐体５３を固定することができる。
【００２３】
上記実施例１に係る筐体固定金具は、縦、横、高さの３要素の全ての寸法を変更できる構造を有し、かつラッチ機構により位置決めの調節を簡単に行うことができる。従って、上記実施例１によれば、
（１）電子機器筐体５３の詳細を入手せずに設計を進めることができる。
（２）電子機器筐体５３の微細な寸法相違であれば、金具の調整により吸収することができる。
（３）電子機器筐体５３の四隅において同一構造のもので固定でき、全体の部品点数を少なくして部品の製作及び管理を効率的に行うことができる。
（４）電子機器筐体５３を損傷するリスクを低減若しくは回避することができる。
等の利点がある。
【実施例２】
【００２４】
次に本発明の実施例２に係る筐体固定金具について説明する。
図４は本発明の実施例２に係る筐体固定金具の構成を示す分解斜視図、図５は図４における蝶番内蔵ブロックの平面図である。
この実施例２に係る筐体固定金具は、実施例１におけるブロック２０を蝶番内蔵のブロック２０Ａとして構成したもので、その他の部分は実施例１と同じであるので、同一部分には同一符号を付して詳細な説明は省略する。
【００２５】
蝶番内蔵のブロック２０Ａは、実施例１に示したブロック２０と同様に略直方体状の金属体を用いて構成され、その一角に切欠き２１が設けられる。ブロック２０Ａは、平面形状がベースプレート１０と略同じに形成され、ベースプレート１０のネジ挿通孔１４ａ、１４ｂに対応する位置に長穴２４ａ、２４ｂが上下方向に貫通して設けられる。更にブロック２０Ａには、切欠き２１と反対側の２つの側面にラッチ２２ａ、２２ｂが水平方向に設けられると共に、底面にラッチ２３が設けられる。この底面のラッチ２３は、ベースプレート１０のラッチ１２と同じ方向に設けられる。すなわち、ベースプレート１０上にブロック２０Ａを載置した際に、ベースプレート１０上のラッチ１２とブロック２０Ａの下面に設けたラッチ２３が係合してブロック２０Ａの位置が保持されるようになっている。
【００２６】
上記ブロック２０Ａは、切欠き２１の両辺の角度θａが９０°より少し大きい角度、例えば約１００°に設定され、この切欠き２１部分に蝶番６１が装着される。この蝶番６１は、２つの辺６２ａ、６２ｂが軸６３によって開閉可能に設けられている。上記２つの辺６２ａ、６２ｂは、ブロック２０Ａに設けた切欠き２１の面と略同じ大きさに設定される。ブロック２０Ａには、切欠き２１の内角部に蝶番装着孔６４が垂直方向に設けられ、この蝶番装着孔６４に蝶番６１の軸６３が上方から挿入される。この場合、蝶番装着孔６４は、切欠き２１側が開口しており、蝶番６１の辺６２ａ、６２ｂが切欠き２１部分において任意に開閉できるようになっている。
【００２７】
また、ブロック２０Ａには、図５に示すようにラッチ２２ａ、２２ｂの形成面から切欠き２１の形成面に貫通するネジ穴６５ａ、６５ｂが設けられ、ネジ穴６５ａ、６５ｂに調節用止めネジ６６ａ、６６ｂが螺着される。この調節用止めネジ６６ａ、６６ｂは、先端部が半球状に突出して形成されており、蝶番６１の辺６２ａ、６２ｂに当接してその開き角度θｂを調節する。
【００２８】
次に、上記実施例２に係る筐体固定金具を使用して筐体を固定する場合の手順を説明する。
（１）ベース上において、図６に示すように固定する電子機器筐体５３の四隅に近接する位置にベースプレート１０を取付ける。このベースプレート１０の取付けは、ベースプレート固定用サラ穴１３ａ、１３ｂを利用し、サラネジ１５ａ、１５ｂにより固定する。
【００２９】
（２）ブロック２０Ａにて電子機器筐体５３の水平方向２辺（横方向、奥行き方向）を仮固定する。この場合、ブロック２０Ａは、切欠き２１に設けた蝶番６１の辺６２ａ、６２ｂを電子機器筐体５３の側面に当接させた状態でベースプレート１０上に配置し、下面に設けたラッチ２３をベースプレート１０のラッチ１２に係合させる。また、上記蝶番６１の辺６２ａ、６２ｂが電子機器筐体５３の角部側面に均等に当接するように調節用止めネジ６６ａ、６６ｂにより蝶番６１の辺６２ａ、６２ｂの開き角度を調節する。
【００３０】
（３）次にカバー３０をブロック２０Ａに被せるように設置し、天板３１の先端下側を電子機器筐体５３の角部上面に当接させると共に、側板３２ａ、３２ｂの内側に設けたラッチ３３をブロック２０Ａのラッチ２２ａ、２２ｂに係合させ、電子機器筐体５３の上下方向を仮固定する。上記ブロック２０Ａ及びカバー３０による電子機器筐体５３への仮固定は、図７に示すように電子機器筐体５３の四隅の４個所にて行う。
【００３１】
（４）その後、固定用ネジ４１ａ、４１ｂをカバー３０の長穴３４ａ、３４ｂにワッシャ４２ａ、４２ｂを介在させて挿入し、ブロック２０Ａの長穴２４ａ、２４ｂを挿通させてベースプレート１０のネジ挿通孔１４ａ、１４ｂから下方に突出させ、ベースに予め設けたネジ穴に螺着し、締め付けて固定する。
【００３２】
上記カバー３０と電子機器筐体５３との間の摩擦力と、カバー３０とブロック２０Ａ間、及びブロック２０Ａとベースプレート１０間のラッチ機構、更にブロック２０Ａに設けた蝶番６１により、電子機器筐体５３を強固にかつ簡単に固定することができる。
【００３３】
上記実施例２に係る筐体固定金具は、実施例１と同様に縦、横、高さの３要素の全ての寸法を変更できる構造を有し、ラッチ機構により位置決めの調節を簡単に行うことができると共に、ブロック２０Ａに設けた蝶番６１により、電子機器筐体５３の角部の形状にも容易に追従することができる。
【００３４】
なお、上記実施例１、２では、電子機器筐体５３の四隅を筐体固定金具により固定した場合について示したが、少なくとも対角線に位置する２つの角部を筐体固定金具により固定することで目的を達成することができる。
また、本発明は、上記実施の形態そのままに限定されるものではなく、実施段階ではその要旨を逸脱しない範囲で構成要素を変形して具体化できるものである。
【符号の説明】
【００３５】
１０…ベースプレート、１２…ラッチ、１３ａ、１３ｂ…ベースプレート固定用サラ穴、１４ａ、１４ｂ…ネジ挿通孔、２０…ブロック、２２ａ、２２ｂ…ラッチ、２３…ラッチ、２４ａ、２４ｂ…長穴、３０…カバー、３１…天板、３２ａ、３２ｂ…側板、３３…ラッチ、３４ａ、３４ｂ…長穴、４２ａ、４２ｂ…ワッシャ、５１…ベース、５２ａ、５２ｂ…ネジ穴、５３…電子機器筐体、６１…蝶番、６２ａ、６２ｂ…蝶番の辺、６３…蝶番の軸、６４…蝶番装着孔、６５ａ、６５ｂ…ネジ穴、６６ａ、６６ｂ…調節用止めネジ。
【図１】
2011014855.tif 000003
【図２】
2011014855.tif 000004
【図３】
2011014855.tif 000005
【図４】
2011014855.tif 000006
【図５】
2011014855.tif 000007
【図６】
2011014855.tif 000008
【図７】
2011014855.tif 000009